(57)【要約】【課題】  簡易な構成で、監視カメラが撮像、生成した撮像データに含まれる監視対象を妨げることなくカメラ情報を表示させ、監視対象の画像の視認性を向上させることが可能となる。【解決手段】  本発明の監視カメラ管理システム１００において、管理装置１４０は、監視カメラ１１０が送信した撮像データおよび角度データを受信し、受信した角度データが示す角度と、撮像データを送信した監視カメラに関連付けて記憶されたカメラ情報を表示制限する角度範囲である制限範囲と、を比較して、角度が制限範囲に含まれるか否かを判定し、制限範囲に含まれていると判定したときには、カメラ情報を、カメラ情報の透過率である重畳透過率を制限範囲に含まれていないときよりも高くして撮像データに重畳してモニタに表示させることを特徴としている。【選択図】    図７
2010219576.tif 000002
【特許請求の範囲】
【請求項１】
１または複数の監視カメラと、
前記１または複数の監視カメラに通信網を介して接続される管理装置と、
を備え、
前記監視カメラのうち少なくとも１つは、
被写体を撮像して撮像データを生成する撮像部と、
前記撮像部の向いている角度を取得して角度データを生成する角度生成部と、
前記撮像データおよび前記角度データを送信するデータ送信部と、
を有し、
前記管理装置は、
前記撮像データおよび前記角度データを受信するデータ受信部と、
前記撮像データを送信した監視カメラに関するカメラ情報を表示制限する角度範囲である制限範囲を、前記撮像データを送信した監視カメラに関連付けて記憶する管理記憶部と、
前記カメラ情報を前記撮像データに重畳してモニタに表示させる表示制御部と、
前記角度データから得た前記撮像部の向いている角度と前記制限範囲とを比較して、前記角度が前記制限範囲に含まれるか否かを判定する制限判定部と、
前記制限判定部で前記角度が前記制限範囲に含まれていると判定されたときには、前記撮像データに重畳されている前記カメラ情報の透過率である重畳透過率を、前記制限範囲に含まれていないときよりも高くする透過率変更部と、
を有することを特徴とする監視カメラ管理システム。
【請求項２】
前記管理記憶部は、前記制限範囲の外側における任意の角度範囲である推移範囲を前記撮像データを送信した監視カメラにさらに関連付けて記憶し、
前記透過率変更部は、前記推移範囲において、前記制限範囲における重畳透過率と前記推移範囲より外側における重畳透過率との間で前記重畳透過率を段階的にまたは連続的に推移させることを特徴とする請求項１に記載の監視カメラ管理システム。
【請求項３】
１または複数の監視カメラと、
前記１または複数の監視カメラに通信網を介して接続される管理装置と、
を備え、
前記監視カメラのうち少なくとも１つは、
被写体を撮像して撮像データを生成する撮像部と、
前記撮像部の向いている角度を取得して角度データを生成する角度生成部と、
前記撮像データおよび前記角度データを送信するデータ送信部と、
を有し、
前記管理装置は、
前記撮像データおよび前記角度データを受信するデータ受信部と、
前記撮像データを送信した監視カメラに関するカメラ情報を表示制限する角度範囲である制限範囲を、前記撮像データを送信した監視カメラに関連付けて記憶する管理記憶部と、
前記カメラ情報を前記撮像データに重畳してモニタに表示させる表示制御部と、
前記角度データから得た前記撮像部の向いている角度と前記制限範囲とを比較して、前記角度が前記制限範囲に含まれるか否かを判定する制限判定部と、
前記制限判定部で前記角度が前記制限範囲に含まれていると判定されたときには、前記撮像データに重畳されている前記カメラ情報の表示面積である重畳面積を、前記制限範囲に含まれていないときよりも小さくする面積変更部と、
を有することを特徴とする監視カメラ管理システム。
【請求項４】
前記管理記憶部は、前記制限範囲の外側における任意の角度範囲である推移範囲を前記撮像データを送信した監視カメラにさらに関連付けて記憶し、
前記面積変更部は、前記推移範囲において、前記制限範囲における重畳面積と前記推移範囲より外側における重畳面積との間で前記重畳面積を段階的にまたは連続的に推移させることを特徴とする請求項３に記載の監視カメラ管理システム。
【請求項５】
前記面積変更部は、前記重畳面積の縦横比を変化させることで前記重畳面積を小さくすることを特徴とする請求項３または４に記載の監視カメラ管理システム。
【請求項６】
前記面積変更部は、前記カメラ情報の一部を切欠することで前記重畳面積を小さくすることを特徴とする請求項３または４に記載の監視カメラ管理システム。
【請求項７】
前記面積変更部は、前記カメラ情報を前記カメラ情報よりも重畳面積の小さい他のカメラ情報に置換することで前記重畳面積を小さくすることを特徴とする請求項３または４に記載の監視カメラ管理システム。
【請求項８】
前記管理装置は、さらに、
ユーザ入力を受け付ける操作部と、
前記操作部がユーザ入力を受け付けたときに前記データ受信部が受信した角度データから得られた前記撮像部の向いている角度を参照して前記制限範囲を設定する範囲設定部と、
を含むことを特徴とする請求項１から７のいずれか１項に記載の監視カメラ管理システム。
【請求項９】
前記管理記憶部は、前記撮像データを送信する監視カメラに対して複数の制限範囲を前記撮像データを送信する監視カメラに関連付けて記憶することを特徴とする請求項１から８のいずれか１項に記載の監視カメラ管理システム。
【請求項１０】
前記監視カメラ管理システムは、前記撮像データを送信する監視カメラを回動させる回動装置をさらに備え、
前記角度生成部は、前記回動装置から前記撮像部の向いている角度を取得することを特徴とする請求項１から９のいずれか１項に記載の監視カメラ管理システム。
【請求項１１】
１または複数の監視カメラに通信網を介して接続される管理装置であって、
前記監視カメラに関する情報であり前記監視カメラによって生成された撮像データと共にモニタに表示されるカメラ情報を表示制限する角度範囲である制限範囲を、前記監視カメラに関連付けて記憶する管理記憶部と、
前記監視カメラが生成した、前記撮像データおよび前記監視カメラの撮像部が向いている角度を示す角度データを受信するデータ受信部と、
前記カメラ情報を前記撮像データに重畳してモニタに表示させる表示制御部と、
前記データ受信部が受信した角度データから得た前記撮像部が向いている角度と前記制限範囲とを比較して、前記角度が前記制限範囲に含まれるか否かを判定する制限判定部と、
前記制限判定部で前記角度が前記制限範囲に含まれていると判定されたときには、前記撮像データに重畳されている前記カメラ情報の透過率である重畳透過率を、前記制限範囲に含まれていないときよりも高くする透過率変更部と、
を備えることを特徴とする管理装置。
【請求項１２】
１または複数の監視カメラに通信網を介して接続される管理装置であって、
前記監視カメラに関する情報であり前記監視カメラによって生成された撮像データと共にモニタに表示されるカメラ情報を表示制限する角度範囲である制限範囲を、前記監視カメラに関連付けて記憶する管理記憶部と、
前記監視カメラが生成した、前記撮像データおよび前記監視カメラの撮像部が向いている角度を示す角度データを受信するデータ受信部と、
前記カメラ情報を撮像データに重畳してモニタに表示させる表示制御部と、
前記データ受信部が受信した角度データから得た前記撮像部が向いている角度と前記制限範囲とを比較して、前記角度が前記制限範囲に含まれるか否かを判定する制限判定部と、
前記制限判定部で前記角度が前記制限範囲に含まれていると判定されたときには、前記撮像データに重畳されている前記カメラ情報の表示面積である重畳面積を、前記制限範囲に含まれていないときよりも小さくする面積変更部と、
を備えることを特徴とする管理装置。
【請求項１３】
撮像データを外部機器に送信する監視カメラであって、
被写体を撮像して前記撮像データを生成する撮像部と、
前記監視カメラに関する情報であり前記撮像データと共に前記外部機器のモニタに表示されるカメラ情報を表示制限する角度範囲である制限範囲を記憶する監視記憶部と、
前記撮像部の向いている角度を取得して角度データを生成する角度生成部と、
前記角度データが示す角度と前記制限範囲とを比較して、前記角度が前記制限範囲に含まれるか否かを判定する制限判定部と、
前記制限判定部で前記角度が前記制限範囲に含まれていると判定されたときには、前記カメラ情報を、前記カメラ情報の透過率である重畳透過率を前記制限範囲に含まれていないときよりも高くして前記撮像データに重畳する情報重畳部と、
前記情報重畳部がカメラ情報を重畳させた撮像データを前記外部機器に送信するデータ送信部と、
を備えることを特徴とする監視カメラ。
【請求項１４】
撮像データを外部機器に送信する監視カメラであって、
被写体を撮像して前記撮像データを生成する撮像部と、
前記監視カメラに関する情報であり前記撮像データと共に前記外部機器のモニタに表示されるカメラ情報を表示制限する角度範囲である制限範囲を記憶する監視記憶部と、
前記撮像部の向いている角度を取得して角度データを生成する角度生成部と、
前記角度データが示す角度と前記制限範囲とを比較して、前記角度が前記制限範囲に含まれるか否かを判定する制限判定部と、
前記制限判定部で前記角度が前記制限範囲に含まれていると判定されたときには、前記カメラ情報を、前記カメラ情報の表示面積である重畳面積を前記制限範囲に含まれていないときよりも小さくして前記撮像データに重畳する情報重畳部と、
前記情報重畳部がカメラ情報を重畳させた撮像データを前記外部機器に送信するデータ送信部と、
を備えることを特徴とする監視カメラ。
【請求項１５】
１または複数の監視カメラと、前記１または複数の監視カメラに通信網を介して接続され前記１または複数の監視カメラを管理する管理装置と、を用いて監視カメラを管理する監視カメラ管理方法であって、
前記監視カメラのうち少なくとも１つは、
被写体を撮像し撮像データを生成し、
前記監視カメラの撮像部の向いている角度を取得して角度データを生成し、
前記撮像データおよび前記角度データを送信し、
前記管理装置は、
前記監視カメラが生成した撮像データおよび角度データを受信し、
前記受信した角度データが示す角度と、前記撮像データを送信した監視カメラに関連付けて記憶された、前記撮像データを送信した監視カメラに関する情報であり前記撮像データと共にモニタに表示されるカメラ情報を表示制限する角度範囲である制限範囲と、を比較して、前記角度が前記制限範囲に含まれるか否かを判定し、
前記角度が前記制限範囲に含まれていると判定したときには、前記カメラ情報を、前記カメラ情報の透過率である重畳透過率を前記制限範囲に含まれていないときよりも高くして、前記撮像データに重畳してモニタに表示させることを特徴とする監視カメラ管理方法。
【請求項１６】
１または複数の監視カメラと、前記１または複数の監視カメラに通信網を介して接続され前記１または複数の監視カメラを管理する管理装置と、を用いて監視カメラを管理する監視カメラ管理方法であって、
前記監視カメラのうち少なくとも１つは、
被写体を撮像し撮像データを生成し、
前記監視カメラの撮像部の向いている角度を取得して角度データを生成し、
前記撮像データおよび前記角度データを送信し、
前記管理装置は、
前記監視カメラが生成した撮像データおよび角度データを受信し、
前記受信した角度データが示す角度と、前記撮像データを送信した監視カメラに関連付けて記憶された、前記撮像データを送信した監視カメラに関する情報であり前記撮像データと共にモニタに表示されるカメラ情報を表示制限する角度範囲である制限範囲と、を比較して、前記角度が前記制限範囲に含まれるか否かを判定し、
前記角度が前記制限範囲に含まれていると判定したときには、前記カメラ情報を、前記カメラ情報の表示面積である重畳面積を前記制限範囲に含まれていないときよりも小さくして、前記撮像データに重畳してモニタに表示させることを特徴とする監視カメラ管理方法。
【発明の詳細な説明】
【技術分野】
【０００１】
本発明は、監視カメラから撮像データを取得してモニタに表示する監視カメラ管理システム、管理装置、監視カメラおよび監視カメラ管理方法に関する。
【背景技術】
【０００２】
近年、オフィス、店舗等の内外の複数箇所に監視カメラを設置し、この監視カメラが撮像、生成した複数の撮像データを、遠隔にある管理センタの管理装置が一括して取得する監視カメラ管理システムが普及している。かかる監視カメラ管理システムでは、管理センタにいる監視者が、監視カメラが設置された複数箇所を一度に監視することができるため、効率的に防犯対策を講じることが可能となる。
【０００３】
上記監視カメラ管理システムでは、複数箇所に設置された監視カメラが監視対象を撮像し、生成した撮像データを、管理装置に接続されたモニタの表示範囲を分割して同時に表示させている。したがって、管理センタの監視者は、モニタを視認するだけで複数箇所の状況を一度に把握することができる。このとき、監視カメラや監視箇所を識別可能な文字列等を含むカメラ情報を、分割された表示範囲のそれぞれの撮像データに重畳して表示することで、監視者は、モニタに表示されたそれぞれの撮像データがどこに設置された監視カメラの撮像データであるかを、容易に識別することができる。管理装置は、このようなカメラ情報を、予め定められた表示位置に固定的に重畳したり、準備された複数の表示位置から選択された１の表示位置に固定的に重畳したりしていた。
【０００４】
また、監視カメラ管理システムでは、監視カメラをパン方向またはチルト方向に回動させる機構を設け、画角が制限された監視カメラで広範囲の監視を行うことも可能である。このような回動する監視カメラを含む監視カメラ管理システムでは、上述したようにカメラ情報を固定的に撮像データに重畳してモニタに表示させてしまうと、管理装置が取得した撮像データによっては、監視対象の画像とカメラ情報の画像とが重なった状態で表示されるため、監視対象の視認性が低下し、監視に支障を来してしまう。
【０００５】
そこで、字幕等モニタ上で移動を伴う文字列であるテロップが映像に含まれる場合に、テロップと重ならない位置にチャンネル番号、音量等を示すＯＳＤ（On Screen Display）を表示する技術が開示されている（例えば、特許文献１）。かかる技術では、テロップおよびＯＳＤの視認性を向上させることが可能となる。
【０００６】
また、カメラが撮影した映像データの各画素の輝度を測定し、測定結果から隣接する画素間の輝度差を算出して記憶し、記憶した輝度差を参照して、隣接する画素間の輝度差総和が最小になる、ディスプレイの画面上で表示される説明文字の外枠の配置位置を探し出し、その位置を説明文字の表示位置に設定する監視カメラシステムが開示されている（例えば、特許文献２）。かかる技術では、説明文字を監視の支障にならない位置に表示することができる。
【０００７】
さらに、予め監視カメラのパン角度と、監視カメラの撮影方位を示す文字や目標物の名称を示す文字（表示文字）との関係を設定したテーブルを記憶しておき、監視カメラが所定のパン角度範囲に入ったときにのみ表示文字を表示する技術も開示されている（例えば、特許文献３）。
【先行技術文献】
【特許文献】
【０００８】
【特許文献１】特開２００７−２８３４７号公報
【特許文献２】特開２００５−３５４４６１号公報
【特許文献３】特開２００１−６９４９５号公報
【発明の概要】
【発明が解決しようとする課題】
【０００９】
上述した特許文献１および２の技術では、監視対象の表示位置を検出し、監視対象の表示位置とカメラ情報の表示位置とが重なる場合に、カメラ情報の表示位置を画面上の他の位置に移動させることにより、監視対象の視認性を向上させることができる。しかし、上記の技術を採用した監視カメラ管理システムにおいては、監視カメラを回転させることができるため、監視対象の表示位置が多様に変化する場合があり、それに伴ってカメラ情報の表示位置が煩雑に変化してしまい、監視者は、そのカメラ情報の表示位置の変化を煩わしく思うこととなり、また表示位置の計算や重畳処理による負荷も著しく増大する。監視者は、モニタに表示される画像を通じて、監視対象の突発的な動き等の異変を察知しなくてはならないが、カメラ情報の表示位置が煩雑に変化すると、監視対象に集中できず、本来の目的を達成できないおそれがある。
【００１０】
また、特許文献３の技術では、監視対象の表示状態に拘わらず、監視カメラの絶対的なパン角度に応じてカメラ情報が表示されるため、監視対象にカメラ情報が重畳してしまい、監視者の監視対象に対する視認性の低下を回避することはできなかった。
【００１１】
本発明は、このような課題に鑑み、簡易な構成で、監視カメラが撮像、生成した撮像データに含まれる監視対象を妨げることなくカメラ情報を表示させ、監視対象の画像の視認性を向上させることが可能な監視カメラ管理システム、管理装置、監視カメラ、監視カメラ管理方法を提供することを目的としている。
【課題を解決するための手段】
【００１２】
上記課題を解決するために、本発明の監視カメラ管理システムは、１または複数の監視カメラと、１または複数の監視カメラに通信網を介して接続される管理装置と、を備え、監視カメラのうち少なくとも１つは、被写体を撮像して撮像データを生成する撮像部と、撮像部の向いている角度を取得して角度データを生成する角度生成部と、撮像データおよび角度データを送信するデータ送信部と、を有し、管理装置は、撮像データおよび角度データを受信するデータ受信部と、撮像データを送信した監視カメラに関するカメラ情報を表示制限する角度範囲である制限範囲を、撮像データを送信した監視カメラに関連付けて記憶する管理記憶部と、カメラ情報を撮像データに重畳してモニタに表示させる表示制御部と、角度データから得た撮像部の向いている角度と制限範囲とを比較して、角度が制限範囲に含まれるか否かを判定する制限判定部と、制限判定部で角度が制限範囲に含まれていると判定されたときには、撮像データに重畳されているカメラ情報の透過率である重畳透過率を、制限範囲に含まれていないときよりも高くする透過率変更部と、を有することを特徴とする。
【００１３】
本発明は、予め設定された制限範囲に監視カメラの撮像部の向いている角度が含まれると、監視カメラに関する情報であり撮像データと共にモニタに表示されるカメラ情報を積極的に透過させて、カメラ情報が重畳される位置の背景に当たる監視対象の画像の視認性を向上させることが可能となる。これにより、監視者は確実に監視対象を視認することが可能となり、監視者の監視業務に支障を来すことなく、監視効率を向上させることができる。また、制限範囲は監視対象の表示状態を用いた相対的な角度で設定できるため、監視カメラの絶対角度や方位を考慮しなくとも容易かつ適切に設定することが可能となる。
【００１４】
上記管理記憶部は、制限範囲の外側における任意の角度範囲である推移範囲を撮像データを送信した監視カメラにさらに関連付けて記憶し、透過率変更部は、推移範囲において、制限範囲における重畳透過率と推移範囲より外側における重畳透過率との間で重畳透過率を段階的にまたは連続的に推移させてもよい。
【００１５】
これにより、監視カメラの撮像部の向いている角度が制限範囲に含まれる前後でカメラ情報の画像の視認性を徐々に変化させることができ、監視対象の画像の視認性を違和感なくスムーズに向上させることが可能となる。
【００１６】
上記課題を解決するために、本発明の他の監視カメラ管理システムは、１または複数の監視カメラと、１または複数の監視カメラに通信網を介して接続される管理装置と、を備え、監視カメラのうち少なくとも１つは、被写体を撮像して撮像データを生成する撮像部と、撮像部の向いている角度を取得して角度データを生成する角度生成部と、撮像データおよび角度データを送信するデータ送信部と、を有し、管理装置は、撮像データおよび角度データを受信するデータ受信部と、撮像データを送信した監視カメラに関するカメラ情報を表示制限する角度範囲である制限範囲を、撮像データを送信した監視カメラに関連付けて記憶する管理記憶部と、カメラ情報を撮像データに重畳してモニタに表示させる表示制御部と、角度データから得た撮像部の向いている角度と制限範囲とを比較して、角度が制限範囲に含まれるか否かを判定する制限判定部と、制限判定部で角度が制限範囲に含まれていると判定されたときには、撮像データに重畳されているカメラ情報の表示面積である重畳面積を、制限範囲に含まれていないときよりも小さくする面積変更部と、を有することを特徴とする。
【００１７】
本発明は、予め設定された制限範囲に監視カメラの撮像部の向いている角度が含まれると、監視カメラに関する情報であり撮像データと共にモニタに表示されるカメラ情報を積極的に小さく表示させて、カメラ情報が重畳される位置の背景に当たる監視対象の画像の視認性を向上させることが可能となる。したがって、監視者が監視対象の画像において視認不可能となる部分を減少させることができる。これにより、監視者は確実に監視対象を視認することができ、監視者の監視業務に支障を来すことなく、監視効率を向上させることが可能となる。
【００１８】
上記管理記憶部は、制限範囲の外側における任意の角度範囲である推移範囲を撮像データを送信した監視カメラにさらに関連付けて記憶し、面積変更部は、推移範囲において、制限範囲における重畳面積と推移範囲より外側における重畳面積との間で重畳面積を段階的にまたは連続的に推移させてもよい。
【００１９】
これにより、監視カメラの撮像部の向いている角度が制限範囲に含まれる前後でカメラ情報の表示面積を徐々に変化させることができ、監視対象の画像の視認性を違和感なくスムーズに向上させることが可能となる。
【００２０】
上記面積変更部は、重畳面積の縦横比を変化させることで重畳面積を小さくしてもよい。
【００２１】
本発明では、カメラ情報の重畳面積の縦横比を変化させて、カメラ情報の表示面積を小さくし、監視対象の画像の視認性を高めているが、カメラ情報の画像を完全に削除しないことで監視者にカメラ情報の存在を視認させることができる。これにより、監視者は、撮像部の方向が制限範囲から離れるかまたは監視者の操作(手動操作)により、カメラ情報の画像を参照できることを把握することが可能となる。
【００２２】
上記面積変更部は、カメラ情報の一部を切欠することで重畳面積を小さくしてもよい。
【００２３】
本発明では、重畳面積の縦横比を変化させる場合と同様に、カメラ情報の一部を切欠して、カメラ情報の表示面積を小さくし、監視対象の画像の視認性を高めているが、カメラ情報の画像を完全に削除しないことで監視者にカメラ情報の存在を視認させることができる。これにより、監視者は、撮像部の方向が制限範囲から離れるかまたは監視者の操作により、カメラ情報の画像を参照できることを把握することが可能となる。
【００２４】
上記面積変更部は、カメラ情報をカメラ情報よりも重畳面積の小さい他のカメラ情報に置換することで重畳面積を小さくしてもよい。
【００２５】
本発明では、カメラ情報をより重畳面積の小さい他のカメラ情報に置換して、監視対象の画像の視認性を高めているが、カメラ情報の画像を完全に削除しないことで監視者にカメラ情報の存在を視認させることができる。これにより、監視者は、撮像部の方向が制限範囲から離れるかまたは監視者の操作により、カメラ情報の画像を参照できることを把握することが可能となる。また、カメラ情報をより重畳面積の小さい他のカメラ情報に置換するだけといった簡単な構成で、カメラ情報が重畳される位置の背景に当たる監視対象の画像の視認性を向上させることができる。
【００２６】
上記管理装置は、さらに、ユーザ入力を受け付ける操作部と、操作部がユーザ入力を受け付けたときにデータ受信部が受信した角度データから得られた撮像部の向いている角度を参照して制限範囲を設定する範囲設定部と、を含んでもよい。
【００２７】
これによりユーザである監視者は、監視対象の設定時、または監視対象の変更、増減時に、監視カメラの設置位置における現場作業を伴うことなく、モニタで監視対象の画像を視認しながら操作部へ操作入力を行うだけで、複数の監視カメラすべての相対的な制限範囲を迅速かつ簡単に設定することができる。
【００２８】
上記管理記憶部は、撮像データを送信する監視カメラに対して複数の制限範囲を撮像データを送信する監視カメラに関連付けて記憶してもよい。これにより、１つの監視カメラの監視範囲における複数の監視対象に対して本発明を適用することができるので、複数の監視対象の画像の視認性を並行して向上させることが可能となる。
【００２９】
上記監視カメラ管理システムは、撮像データを送信する監視カメラを回動させる回動装置をさらに備え、角度生成部は、回動装置から撮像部の向いている角度を取得してもよい。
【００３０】
回動装置は固定部と回動部との相対角度を通じて容易に角度データを生成できる。かかる回動装置を用いることで、角度データを自発的に生成できない高機能ではないカメラを利用することが可能となり、コストを削減することが可能となる。
【００３１】
上記課題を解決するために、本発明の管理装置は、１または複数の監視カメラに通信網を介して接続される管理装置であって、監視カメラに関する情報であり監視カメラによって生成された撮像データと共にモニタに表示されるカメラ情報を表示制限する角度範囲である制限範囲を、監視カメラに関連付けて記憶する管理記憶部と、監視カメラが生成した、撮像データおよび監視カメラの撮像部が向いている角度を示す角度データを受信するデータ受信部と、カメラ情報を撮像データに重畳してモニタに表示させる表示制御部と、データ受信部が受信した角度データから得た撮像部が向いている角度と制限範囲とを比較して、角度が制限範囲に含まれるか否かを判定する制限判定部と、制限判定部で角度が制限範囲に含まれていると判定されたときには、撮像データに重畳されているカメラ情報の透過率である重畳透過率を、制限範囲に含まれていないときよりも高くする透過率変更部と、を備えることを特徴とする。
【００３２】
上記課題を解決するために、本発明の他の管理装置は、１または複数の監視カメラに通信網を介して接続される管理装置であって、監視カメラに関する情報であり監視カメラによって生成された撮像データと共にモニタに表示されるカメラ情報を表示制限する角度範囲である制限範囲を、監視カメラに関連付けて記憶する管理記憶部と、監視カメラが生成した、撮像データおよび監視カメラの撮像部が向いている角度を示す角度データを受信するデータ受信部と、カメラ情報を撮像データに重畳してモニタに表示させる表示制御部と、データ受信部が受信した角度データから得た撮像部が向いている角度と制限範囲とを比較して、角度が制限範囲に含まれるか否かを判定する制限判定部と、制限判定部で角度が制限範囲に含まれていると判定されたときには、撮像データに重畳されているカメラ情報の表示面積である重畳面積を、制限範囲に含まれていないときよりも小さくする面積変更部と、を備えることを特徴とする。
【００３３】
上記課題を解決するために、本発明の監視カメラは、撮像データを外部機器に送信する監視カメラであって、被写体を撮像して撮像データを生成する撮像部と、監視カメラに関する情報であり撮像データと共に外部機器のモニタに表示されるカメラ情報を表示制限する角度範囲である制限範囲を記憶する監視記憶部と、撮像部の向いている角度を取得して角度データを生成する角度生成部と、角度データが示す角度と制限範囲とを比較して、角度が制限範囲に含まれるか否かを判定する制限判定部と、制限判定部で角度が制限範囲に含まれていると判定されたときには、カメラ情報を、カメラ情報の透過率である重畳透過率を制限範囲に含まれていないときよりも高くして撮像データに重畳する情報重畳部と、情報重畳部がカメラ情報を重畳させた撮像データを外部機器に送信するデータ送信部と、を備えることを特徴とする。
【００３４】
上記課題を解決するために、本発明の他の監視カメラは、撮像データを外部機器に送信する監視カメラであって、被写体を撮像して撮像データを生成する撮像部と、監視カメラに関する情報であり撮像データと共に外部機器のモニタに表示されるカメラ情報を表示制限する角度範囲である制限範囲を記憶する監視記憶部と、撮像部の向いている角度を取得して角度データを生成する角度生成部と、角度データが示す角度と制限範囲とを比較して、角度が制限範囲に含まれるか否かを判定する制限判定部と、制限判定部で角度が制限範囲に含まれていると判定されたときには、カメラ情報を、カメラ情報の表示面積である重畳面積を制限範囲に含まれていないときよりも小さくして撮像データに重畳する情報重畳部と、情報重畳部がカメラ情報を重畳させた撮像データを外部機器に送信するデータ送信部と、を備えることを特徴とする。
【００３５】
上記課題を解決するために、本発明の監視カメラ管理方法は、１または複数の監視カメラと、１または複数の監視カメラに通信網を介して接続され１または複数の監視カメラを管理する管理装置と、を用いて監視カメラを管理する監視カメラ管理方法であって、監視カメラのうち少なくとも１つは、被写体を撮像し撮像データを生成し、監視カメラの撮像部の向いている角度を取得して角度データを生成し、撮像データおよび角度データを送信し、管理装置は、監視カメラが生成した撮像データおよび角度データを受信し、受信した角度データが示す角度と、撮像データを送信した監視カメラに関連付けて記憶された、撮像データを送信した監視カメラに関する情報であり撮像データと共にモニタに表示されるカメラ情報を表示制限する角度範囲である制限範囲と、を比較して、角度が制限範囲に含まれるか否かを判定し、角度が制限範囲に含まれていると判定したときには、カメラ情報を、カメラ情報の透過率である重畳透過率を制限範囲に含まれていないときよりも高くして、撮像データに重畳してモニタに表示させることを特徴とする。
【００３６】
上記課題を解決するために、本発明の他の監視カメラ管理方法は、１または複数の監視カメラと、１または複数の監視カメラに通信網を介して接続され１または複数の監視カメラを管理する管理装置と、を用いて監視カメラを管理する監視カメラ管理方法であって、監視カメラのうち少なくとも１つは、被写体を撮像し撮像データを生成し、監視カメラの撮像部の向いている角度を取得して角度データを生成し、撮像データおよび角度データを送信し、管理装置は、監視カメラが生成した撮像データおよび角度データを受信し、受信した角度データが示す角度と、撮像データを送信した監視カメラに関連付けて記憶された、撮像データを送信した監視カメラに関する情報であり撮像データと共にモニタに表示されるカメラ情報を表示制限する角度範囲である制限範囲と、を比較して、角度が制限範囲に含まれるか否かを判定し、角度が制限範囲に含まれていると判定したときには、カメラ情報を、カメラ情報の表示面積である重畳面積を制限範囲に含まれていないときよりも小さくして、撮像データに重畳してモニタに表示させることを特徴とする。
【００３７】
上述した監視カメラ管理システムの技術的思想に基づく構成要素やその説明は、当該管理装置、監視カメラおよび監視カメラ管理方法にも適用可能である。
【発明の効果】
【００３８】
以上説明したように本発明によれば、簡易な構成で、監視カメラが撮像、生成した撮像データに含まれる監視対象を妨げることなくカメラ情報を表示させ、監視対象の画像の視認性を向上させることが可能となる。
【図面の簡単な説明】
【００３９】
【図１】第１の実施形態にかかる監視カメラ管理システムの概略的な接続関係を示したブロック図である。
【図２】管理装置が受信した監視カメラの撮像データを、モニタの表示範囲を分割して同時に表示させる態様を説明するための説明図である。
【図３】回動装置による監視カメラの回転の態様を説明するための説明図である。
【図４】第１の実施形態にかかる監視カメラの概略的な構成を示した機能ブロック図である。
【図５】第１の実施形態にかかる管理装置の概略的な構成を示した機能ブロック図である。
【図６】制限範囲を説明するための説明図である。
【図７】透過率変更部の処理を説明するための説明図である。
【図８】１つの監視カメラに対して複数の制限範囲を関連づけた場合の透過率変更部によるカメラ情報の処理を説明するための説明図である。
【図９】制限範囲および推移範囲の重畳透過率を説明するための説明図である。
【図１０】推移範囲を設定した場合の透過率変更部の処理を説明するための説明図である。
【図１１】ユーザ入力に応じた範囲設定部の処理を説明するための説明図である。
【図１２】第１の実施形態にかかる監視カメラ管理方法の具体的な処理を示したシーケンス図である。
【図１３】第２の実施形態にかかる管理装置の概略的な構成を示した機能ブロック図である。
【図１４】面積変更部の処理を説明するための説明図である。
【図１５】面積変更部の他の処理を説明するための説明図である。
【図１６】面積変更部の他の処理を説明するための説明図である。
【図１７】第２の実施形態にかかる監視カメラ管理方法の具体的な処理を示したシーケンス図である。
【図１８】第３の実施形態にかかる監視カメラの概略的な構成を示した機能ブロック図である。
【発明を実施するための形態】
【００４０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００４１】
（第１の実施形態：監視カメラ管理システム１００）
図１は、本実施形態にかかる監視カメラ管理システム１００の概略的な接続関係を示したブロック図である。図１に示すように、監視カメラ管理システム１００は、複数の監視カメラ１１０（図１では、１１０ａ、１１０ｂ、１１０ｃ、１１０ｄで示す。）と、監視カメラ１１０に接続された回動装置１２０（図１では、１２０ａ、１２０ｂ、１２０ｃ、１２０ｄで示す。）と、インターネット、専用回線等で構成される通信網１３０と、管理装置１４０と、管理装置１４０に接続されたモニタ１５０と、を含んで構成される。
【００４２】
監視カメラ管理システム１００において、監視カメラ１１０は、オフィス、店舗等の内外の複数箇所（本実施形態では４箇所）に設置され、任意の領域の被写体（監視対象）を撮像する。監視カメラ１１０は、撮像、生成した撮像データを、通信網１３０を介して、遠隔にある管理センタ１０２の管理装置１４０に送信する。一方、管理装置１４０は、監視カメラ１１０が送信した撮像データを受信する。そして、管理装置１４０は、それぞれの監視カメラ１１０が送信した撮像データを、表示範囲を分割して同時にモニタ１５０に表示させる。
【００４３】
図２は、管理装置１４０が受信した監視カメラの撮像データを、モニタ１５０の表示範囲を分割して同時に表示させる態様を説明するための説明図である。図２に示すように、管理装置１４０は、それぞれの監視カメラ１１０が生成した撮像データを、モニタ１５０の表示範囲を４分割した分割範囲１５２（図２では、１５２ａ、１５２ｂ、１５２ｃ、１５２ｄで示す。）にそれぞれ表示させている。
【００４４】
このとき、管理装置１４０が、監視カメラ１１０自体や監視箇所を識別可能な文字列等を含むカメラ情報を、それぞれの撮像データに重畳して表示させることで、監視者は、モニタ１５０に表示されたそれぞれの撮像データの画像がどこに設置された監視カメラ１１０の撮像データの画像であるかを、容易に識別することが可能となる。図２は、モニタ１５０に表示されたカメラ情報の重畳後の画像１５４（図２では、１５４ａ、１５４ｂ、１５４ｃ、１５４ｄで示す。）を示している。
【００４５】
このように、監視カメラ管理システム１００では、監視者は、モニタ１５０を視認するだけで、監視カメラ１１０が設置された複数箇所を一度に監視することができるため、効果的な防犯対策を講じることが可能となる。
【００４６】
また、本実施形態にかかる監視カメラ管理システム１００では、監視カメラ１１０の撮像部をパン方向に回動させる回動装置１２０を設けているため、画角が制限された監視カメラ１１０で広範囲の監視を行うことができる。ここで、回動装置１２０は、監視カメラ１１０の撮像部をパン方向に回動させているが、これに限定されず、チルト方向に回動させることも、パン方向およびチルト方向に回動させることもできる。また、ここでは、回動装置１２０は、監視カメラ１１０を略鉛直上方向から見たときに時計回りに回動させているが、反時計回りに回動させることもできる。
【００４７】
回動装置１２０は、中央処理装置（ＣＰＵ）や信号処理装置（ＤＳＰ：Digital Signal Processor）を含む半導体集積回路により回動装置１２０全体を管理および制御する回動制御部（図示せず）と、監視カメラ１１０に接続され、監視カメラ１１０を固定する固定部１２２（図１では、１２２ａ、１２２ｂ、１２２ｃ、１２２ｄで示す。）と、監視カメラ１１０ごと固定部１２２を回動する回動部１２４（図１では、１２４ａ、１２４ｂ、１２４ｃ、１２４ｄで示す。）とを含んで構成される。回動制御部は、回動部１２４の回動角度を制御することで、監視カメラ１１０が向いている方向を自由に制御する。
【００４８】
図３は、回動装置１２０による監視カメラ１１０の回転の態様を説明するための説明図である。図３に示すように、本実施形態において、監視カメラ１１０は、所定の画角１１２を有しており、回動装置１２０が軸１２６を中心にして監視カメラ１１０をパン方向に回動させることによって、監視カメラ１１０は、略鉛直上方向から見たとき、自機を中心に基準角度から３６０度の全方位の被写体を連続的に撮像することができる。
【００４９】
本実施形態において回動装置１２０は、監視カメラ１１０を固定する固定部１２２と回動部１２４との相対角度を通じて相対角度情報を生成する。例えば、図３に示すように固定部の所定の点と回動部の所定の点が一致するときの監視カメラ１１０の角度を基準角度（０度）１２８とし、かかる基準角度１２８から、回動部の所定の点までの時計回りの角度を監視カメラ１１０の角度とし、相対角度情報を生成する。したがって、図３に示す監視カメラ１１０の角度は９０度となる。
【００５０】
従来は、上記したカメラ情報を、予め定められたモニタ１５０上の表示位置に固定的に表示させていた。しかし、監視カメラ１１０が回転し、モニタ１５０に表示される監視対象の画像が移動する場合、管理装置１４０が取得した撮像データによっては、監視対象の画像とカメラ情報の画像とが重なった状態で表示されるため、監視対象の画像の視認性が低下し、監視に支障を来してしまう。
【００５１】
そこで本実施形態では、カメラ情報の表示を工夫することで、監視カメラ１１０が撮像、生成した撮像データをモニタ１５０に表示させるとき、監視対象の画像の視認性を向上させることができる、監視カメラ管理システム１００、監視カメラ１１０、管理装置１４０、監視カメラ管理方法を提供することを目的とする。以下に監視カメラ管理システム１００における監視カメラ１１０および管理装置１４０の構成を個々に説明する。
【００５２】
（監視カメラ１１０）
図４は、本実施形態にかかる監視カメラ１１０の概略的な構成を示した機能ブロック図である。図４に示すように監視カメラ１１０は、撮像部２００と、カメラ制御部２２０と、監視記憶部２２２と、を含んで構成される。
【００５３】
撮像部２００は、撮像レンズ２０２を通じて被写体を撮像し撮像データを生成する。撮像部２００は、具体的に、焦点調整に用いられるフォーカスレンズ２０４、露光調整に用いられる絞り２０６、撮像レンズ２０２を通じて入射する光を電気信号である撮像信号に変換する撮像回路（撮像素子）２０８、フォーカスレンズ２０４および絞り２０６を駆動させる駆動回路２１０、信号処理部２１２を含んで構成される。かかる撮像回路２０８によって生成された撮像信号は、信号処理部２１２に転送される。
【００５４】
信号処理部２１２は、ガンマ補正、ニー処理等の所定の画像処理を適用した撮像信号を生成し、生成した撮像信号をＡ／Ｄ変換して、デジタル信号である撮像データを生成し、監視記憶部２２２に蓄積する。
【００５５】
カメラ制御部２２０は、中央処理装置（ＣＰＵ）や信号処理装置（ＤＳＰ）を含む半導体集積回路で構成され、所定のプログラムを用いて監視カメラ１１０全体を管理および制御する。監視記憶部２２２は、ＲＡＭ、ＥＥＰＲＯＭ、不揮発性ＲＡＭ、フラッシュメモリ、ＨＤＤ等で構成され、上述した撮像データ等を保持する。
【００５６】
また、カメラ制御部２２０は、監視記憶部２２２や他の回路と協働して、角度生成部２３０、映像符号化部２３２、データ送信部２３４としても機能する。
【００５７】
角度生成部２３０は、撮像部２００の撮像レンズ２０２の向いている角度を取得して角度データを生成する。本実施形態において角度生成部２３０は、上述した回動装置１２０の回動制御部から相対角度情報を取得し、それを監視カメラ１１０の角度と見なして角度データを生成している。
【００５８】
回動装置１２０は固定部１２２と回動部１２４との相対角度情報を有している。したがって、この相対角度を通じて監視カメラ１１０の角度データを容易に生成できる。かかる回動装置１２０の相対角度を用いることで、角度データを自発的に生成できないような高機能ではない監視カメラを利用することが可能となり、コストを削減することができる。
【００５９】
映像符号化部２３２は、監視記憶部２２２に蓄積された撮像データを、Ｍ−ＪＰＥＧやＭＰＥＧ−２、Ｈ．２６４などの所定の符号化方式で符号化する。
【００６０】
データ送信部２３４は、撮像部２００が生成し、映像符号化部２３２によって符号化された撮像データおよび角度生成部２３０が生成した角度データを送信する。
【００６１】
（管理装置１４０）
図５は、本実施形態にかかる管理装置１４０の概略的な構成を示した機能ブロック図である。図５に示すように管理装置１４０は、管理制御部３１０と、管理記憶部３１２と、映像復号部３１４と、操作部３１６とを含んで構成される。
【００６２】
管理制御部３１０は、中央処理装置（ＣＰＵ）や信号処理装置（ＤＳＰ）を含む半導体集積回路で構成され、所定のプログラムを用いて管理装置１４０全体を管理および制御する。
【００６３】
管理記憶部３１２は、ＲＡＭ、ＥＥＰＲＯＭ、不揮発性ＲＡＭ、フラッシュメモリ、ＨＤＤ等で構成され、後述する映像復号部３１４で復号された撮像データ等を保持する。
【００６４】
また、本実施形態において管理制御部３１０は、撮像データを送信した監視カメラ１１０から送信された撮像データと共にモニタ１５０に表示されるカメラ情報と、そのカメラ情報を表示制限する角度範囲である制限範囲とを、その撮像データを送信した監視カメラ１１０に関連づけて管理記憶部３１２に記憶する。上記制限範囲は、後述する範囲設定部３２８によって設定される。
【００６５】
上記カメラ情報は、会議室、エントランス、食堂等の監視カメラ１１０が設置される場所を示す情報や、監視カメラ１１０のアドレス等の監視カメラ１１０を識別する情報、監視カメラ１１０の状態を示す情報、監視カメラ１１０の撮像部２００のズーム率や撮像部２００の向いている角度を示す情報等の監視カメラ１１０に関する情報である。
【００６６】
図６は、制限範囲を説明するための説明図であり、図６中左側に監視カメラ１１０の平面図を、右側にモニタ１５０に表示される画像を示す。ここでは、図２で示した分割された表示範囲の一部、特に分割範囲１５２ａおよびそれに対応する監視カメラ１１０ａに着目して制限範囲を説明するが、他の分割範囲１５２ｂ、１５２ｃ、１５２ｄおよび監視カメラ１１０ｂ、１１０ｃ、１１０ｄに関しても制限範囲を適用できるのは言うまでもない。本実施形態では、監視対象（例えばドア）３３０の一端とカメラ情報とが重なり始めたときの監視カメラ１１０の角度から、監視対象３３０の他端とカメラ情報との重なりが終わったときの監視カメラ１１０の角度までの角度範囲（以下、単に監視対象範囲と称する）を制限範囲として設定している。
【００６７】
図６（ａ）に示すように、モニタ１５０に表示された撮像データの画像では、監視対象３３０の画像３３２の一端がカメラ情報の画像３３４と重なり始めている。このときの監視カメラ１１０の角度は、９０度である。そして、図６（ｂ）に示すように、モニタ１５０に表示された撮像データの画像では、監視対象３３０の画像３３２の他端とカメラ情報の画像３３４との重なりが終了している。このときの監視カメラ１１０の角度は、１３０度である。したがって、本実施形態において、カメラ情報の画像と監視対象の画像とが重畳する、監視カメラ１１０の角度範囲９０度から１３０度が監視対象とカメラ情報とが重なり合う監視対象範囲となり、かかる監視対象範囲が制限範囲３４０として設定される。
【００６８】
映像復号部３１４は、後述するデータ受信部３２０が受信した符号化された撮像データを復号し、管理記憶部３１２に記憶する。
【００６９】
操作部３１６は、キーボード、マウス、十字キー、ジョイスティック等の可動スイッチで構成され、ユーザ入力を受け付ける。
【００７０】
本実施形態において管理制御部３１０は、管理記憶部３１２や他の回路と協働して、データ受信部３２０、制限判定部３２２、透過率変更部３２４、表示制御部３２６、範囲設定部３２８、としても機能する。
【００７１】
データ受信部３２０は、監視カメラ１１０が生成した符号化された撮像データおよび角度データを、通信網１３０を介して受信し、撮像データを映像復号部３１４に、角度データを制限判定部３２２に転送する。
【００７２】
制限判定部３２２は、データ受信部３２０が受信した角度データが示す角度、即ち、角度データから得た撮像部２００の向いている角度と、管理記憶部３１２に記憶された制限範囲と、を比較して、受信した角度データが示す角度が制限範囲に含まれるか否かを判定する。
【００７３】
透過率変更部３２４は、制限判定部３２２で、受信した角度データが示す角度が制限範囲に含まれていると判定されたとき、撮像データに重畳されるカメラ情報の透過率である重畳透過率を、制限範囲に含まれていないときよりも高くする。本実施形態において、透過率変更部３２４は、受信した角度データが示す角度が制限範囲に含まれていないときの重畳透過率を０％とし、制限範囲に含まれるときの重畳透過率を１００％としている。かかる重畳透過率は操作部３１６を通じて、０％〜１００％間で任意に設定することができる。
【００７４】
表示制御部３２６は、管理記憶部３１２に監視カメラ１１０に関連付けて記憶されているカメラ情報を透過率変更部３２４が定めた重畳透過率で撮像データに重畳し、カメラ情報を重畳させた撮像データを、Ｄ／Ａ変換してモニタ１５０に表示させる。
【００７５】
図７は、透過率変更部３２４の処理を説明するための説明図であり、図７中左側に監視カメラ１１０の平面図を、右側にモニタ１５０に表示される画像を示す。監視カメラ１１０は、図７中（ａ）、（ｂ）、（ｃ）の順で、時計回りに回転している。図７（ａ）に示すように、受信した角度データが示す角度３４２ａが制限範囲３４０に含まれていない場合、即ち、角度３４２ａが９０度に至ってない場合、表示制御部３２６は、重畳透過率０％のままのカメラ情報、即ち、何ら加工されていないカメラ情報を撮像データに重畳してモニタ１５０に表示させる。したがって、図７（ａ）に示すモニタ１５０に表示される画像には、監視対象３３０の画像３３２と、カメラ情報の画像３３４が含まれる。
【００７６】
一方、図７（ｂ）に示すように、受信した角度データが示す角度３４２ｂが制限範囲３４０に含まれると、即ち、角度３４２ｂが制限範囲３４０の下限値９０度を超えると、表示制御部３２６は、透過率変更部３２４によって変更された重畳透過率（１００％）でカメラ情報を撮像データに重畳してモニタ１５０に表示させる。したがって、図７（ｂ）に示すモニタ１５０に表示される画像には、監視対象３３０の画像３３２は含まれるため、ユーザは視認可能だが、カメラ情報の画像３３４（図７（ｂ）中、点線で示す）は視認できない。
【００７７】
透過率変更部３２４は、受信した角度データが示す角度が制限範囲（９０度から１３０度）に含まれている間、制限範囲に含まれていないときよりも重畳透過率を高く（ここでは、透過率１００％）維持する。
【００７８】
そして、図７（ｃ）に示すように、受信した角度データが示す角度３４２ｃが制限範囲３４０に含まれなくなると、即ち、角度３４２ｃが制限範囲３４０の上限値１３０度を超えると、表示制御部３２６は、重畳透過率が０％に戻ったカメラ情報を撮像データに重畳してモニタ１５０に表示させる。したがって、図７（ｃ）に示すモニタ１５０に表示される画像には、監視対象３３０の画像３３２と、カメラ情報の画像３３４との両方が含まれる。
【００７９】
これにより、予め設定された制限範囲に監視カメラ１１０の撮像部２００の向いている角度が含まれると、カメラ情報を積極的に透過させて、カメラ情報が重畳される位置の背景に当たる監視対象の画像の視認性を向上させることが可能となる。
【００８０】
また、本実施形態において管理制御部３１０は、１つの監視カメラ１１０に対して１つの制限範囲を関連づけて管理記憶部３１２に記憶しているが、１つの監視カメラ１１０に対して複数の制限範囲を関連づけることもできる。
【００８１】
図８は、１つの監視カメラ１１０に対して複数の制限範囲を関連づけた場合の透過率変更部３２４によるカメラ情報の処理を説明するための説明図である。図８に示すように、ここで管理記憶部３１２は、３つの制限範囲３４０（図８中３４０ａ、３４０ｂ、３４０ｃで示す。）を１つの監視カメラ１１０に関連づけて記憶している。したがって、監視カメラ１１０の角度３４２が制限範囲３４０のいずれかに含まれる場合、透過率変更部３２４は、撮像データに重畳するときのカメラ情報の重畳透過率を、制限範囲３４０に含まれていないときよりも高くする。これにより、１つの監視カメラ１１０の監視範囲における複数の監視対象の画像の視認性を並行して向上させることができる。
【００８２】
また、管理制御部３１０は、制限範囲の外側における任意の角度範囲である推移範囲を、撮像データを送信した監視カメラ１１０にさらに関連付けて、管理記憶部３１２に記憶し、透過率変更部３２４は、推移範囲において、制限範囲における重畳透過率と推移範囲より外側における重畳透過率との間で重畳透過率を段階的にまたは連続的に推移させることもできる。ここで推移範囲は、制限範囲に対する相対的な大きさで定義され、例えば、制限範囲の１０％の範囲とする。
【００８３】
図９は、制限範囲および推移範囲の重畳透過率を説明するための説明図であり、図１０は、推移範囲を設定した場合の透過率変更部３２４の処理を説明するための説明図である。図９中縦軸に重畳透過率（％）を、横軸に制限範囲および推移範囲を示す。また、監視カメラ１１０は、図１０中（ａ）、（ｂ）、（ｃ）、（ｄ）、（ｅ）の順で時計回りに回転しており、データ受信部３２０が受信した角度データが示す角度が、図９中のＡ、Ｂ、Ｃ、Ｄ、Ｅに示す範囲に含まれる場合のモニタ１５０に表示された画像を、それぞれ、図１０（ａ）、（ｂ）、（ｃ）、（ｄ）、（ｅ）の右側に示している。
【００８４】
図９に示すように、透過率変更部３２４は、推移範囲３４４（図９中、３４４ａ、３４４ｂで示す。）において、制限範囲３４０における重畳透過率と推移範囲３４４より外側における重畳透過率とを連続的に推移させている。図９では重畳透過率を連続的（リニア）に推移させる場合を示しているが、重畳透過率を、曲線状に推移させたり、例えば０、２０、４０、６０、８０、１００％と段階的に推移させることもできる。
【００８５】
図１０（ａ）に示すように、受信した角度データが示す角度３４６ａがまだ推移範囲３４４ａの外側である場合、透過率変更部３２４は、重畳透過率を０％にする、即ち重畳透過率の変更は行わない。したがって、図１０（ａ）に示すモニタ１５０に表示される画像には、監視対象３３０の画像３３２と、重畳透過率が０％のカメラ情報の画像３３４とが含まれる。
【００８６】
そして、監視カメラ１１０が回転し、受信した角度データが示す角度３４６ｂが推移範囲３４４ａに入ると、図１０（ｂ）に示すように、透過率変更部３２４は、受信した角度データが示す角度が制限範囲３４０に入るまで、推移範囲３４４の外側の重畳透過率（本実施形態では０％）よりも重畳透過率を段階的にまたは連続的に増加（漸増）する。したがって、図１０（ｂ）に示すモニタ１５０に表示される画像には、監視対象３３０の画像３３２と、その角度に応じた重畳透過率Ｘ％（０＜Ｘ＜１００）のカメラ情報の画像３３４とが含まれる。かかる推移範囲３４４ａでは重畳透過率が１００％にならないので、カメラ情報の存在を視認することができる。
【００８７】
さらに、監視カメラ１１０が回転し、受信した角度データが示す角度３４６ｃが制限範囲３４０に含まれると、図１０（ｃ）に示すように、表示制御部３２６は、透過率変更部３２４によって重畳透過率が１００％となったカメラ情報を撮像データに重畳してモニタ１５０に表示させる。したがって、図１０（ｃ）に示すモニタ１５０に表示される画像には、監視対象３３０の画像３３２は含まれるため、ユーザは視認可能だが、カメラ情報の画像３３４は視認できない。
【００８８】
そして、受信した角度データが示す角度３４６ｄが制限範囲３４０から外れ、推移範囲３４４ｂに入ると、図１０（ｄ）に示すように、透過率変更部３２４は、受信した角度データが示す角度が推移範囲３４４ｂから外れるまで、重畳透過率を段階的にまたは連続的に減少（漸減）する。したがって、図１０（ｄ）に示すモニタ１５０に表示される画像には、監視対象３３０の画像３３２と、その角度に応じた重畳透過率Ｘ％（０＜Ｘ＜１００）のカメラ情報の画像３３４とが含まれる。かかる推移範囲３４４ｂでは、推移範囲３４４ａ同様、重畳透過率が１００％にならないので、カメラ情報の存在を視認することができる。
【００８９】
その後、受信した角度データが示す角度３４６ｅが推移範囲３４４ｂから外れると、図１０（ｅ）に示すように、透過率変更部３２４は、重畳透過率を０％にする。したがって、図１０（ｅ）に示すモニタ１５０に表示される画像には、重畳透過率が０％のカメラ情報の画像３３４が含まれる。ここでは、監視カメラ１１０の画角には、監視対象３３０が含まれていないため、モニタ１５０に表示される画像には監視対象３３０の画像は含まれない。
【００９０】
上述したように、推移範囲を設定し、透過率変更部３２４が重畳透過率を段階的にまたは連続的に推移させる構成により、監視カメラ１１０の撮像部２００の向いている角度が制限範囲に含まれる前後でカメラ情報の画像の視認性を徐々に変化させることができ、監視対象の画像の視認性を違和感なくスムーズに向上させることが可能となる。
【００９１】
また、本実施形態では、監視対象範囲を制限範囲として設定しているが、これに限定されず、制限範囲と推移範囲との加算範囲が監視対象範囲となるように設定してもよい。
【００９２】
範囲設定部３２８は、操作部３１６がユーザ入力を受け付けたときに、データ受信部３２０が受信した角度データから得られる撮像部２００の向いている角度を参照して制限範囲を設定する。ここでも、図２で示した分割された表示範囲の一部、分割範囲１５２ａおよびそれに対応する監視カメラ１１０ａに着目して制限範囲の設定を説明するが、他の分割範囲１５２ｂ、１５２ｃ、１５２ｄおよび監視カメラ１１０ｂ、１１０ｃ、１１０ｄに関しても制限範囲の設定を適用することができる。また、図２のように当該管理装置１４０が複数の監視カメラ１１０ａ、１１０ｂ、１１０ｃ、１１０ｄの撮像データをそれぞれ分割範囲１５２ａ、１５２ｂ、１５２ｃ、１５２ｄに表示している場合、範囲設定部３２８は、その中から１の監視カメラ１１０または１の分割範囲１５２をユーザに選択させ、その１の監視カメラ１１０または１の分割範囲１５２に関して制限範囲を設定する。このときユーザは、図２に示した分割画面の状態で設定操作を行ってもよいし、選択された分割範囲１５２をモニタ１５０画面全体に拡大した状態で設定操作を行ってもよい。
【００９３】
図１１は、ユーザ入力に応じた範囲設定部３２８の処理を説明するための説明図であり、図１１中左側にモニタ１５０に表示される画像を、右側に監視カメラ１１０の平面図を示す。なお、監視カメラ１１０は、図１１中（ａ）、（ｂ）、（ｃ）の順で時計回りに回転している。
【００９４】
図１１（ａ）に示すように、モニタ１５０に表示された撮像データの画像では、監視対象の画像３３２の一端がカメラ情報の画像３３４と重なり始める。本実施形態では、ここでユーザが操作部３１６へ操作入力、例えば操作ボタンの押下を行い、範囲設定部３２８は、かかる操作入力を受け付けて、データ受信部３２０が受信した角度データが示す角度３４８ａを参照し、制限範囲の開始角度（下限）を設定している。
【００９５】
そして、監視カメラ１１０が回転し続けると、図１１（ｂ）に示すように、モニタ１５０に表示された撮像データの画像では、監視対象の画像３３２のすべてがカメラ情報の画像３３４と重なり合う。このときの監視カメラ１１０の角度は３４８ｂとなる。
【００９６】
さらに監視カメラ１１０が回転し続け、図１１（ｃ）に示すように、モニタ１５０に表示された撮像データの画像では、監視対象の画像３３２の他端とカメラ情報の画像３３４との重なりが終了する。本実施形態では、ここでユーザが操作部３１６へ操作入力を行い、範囲設定部３２８は、かかる操作入力を受け付けて、データ受信部３２０が受信した角度データが示す角度３４８ｃを参照し、制限範囲の終了角度（上限）を設定する。したがって、制限範囲は角度３４８ａから角度３４８ｃとなる。
【００９７】
本実施形態において範囲設定部３２８は、操作部３１６がユーザ入力を受け付けたときにデータ受信部３２０が受信した角度データが示す角度を参照して制限範囲を設定するが、これに限定されず、ユーザが操作部３１６を構成するテンキー等を押下して数値入力を行うことで、制限範囲を０から３６０度の間で任意に設定することもできる。
【００９８】
上述したように、ユーザである監視者は、監視対象の設定時、または監視対象の変更、増減時に、監視カメラ１１０の設置位置における現場作業を伴うことなく、モニタ１５０で監視対象の画像を視認しながら操作部３１６へ操作入力を行うだけで、複数の監視カメラ１１０すべての相対的な制限範囲を迅速かつ簡単に設定することができる。したがって、監視カメラ１１０の絶対角度や方位を考慮しなくとも容易かつ適切に設定することが可能となる。
【００９９】
（監視カメラ管理方法）
また、上述した監視カメラ１１０と、回動装置１２０と、管理装置１４０と、モニタ１５０とを用いて、監視対象の画像の視認性を向上させる事が可能な監視カメラ管理方法も提供される。
【０１００】
図１２は、本実施形態にかかる監視カメラ管理方法の具体的な処理を示したシーケンス図である。まず、監視カメラ１１０の撮像部２００は、被写体を撮像し撮像データを生成する（Ｓ４００）。そして、角度生成部２３０が、回動装置１２０の回動制御部から撮像レンズ２０２の向いている角度を取得し（Ｓ４０２）、角度データを生成する（Ｓ４０４）。データ送信部２３４は、撮像データ生成ステップ（Ｓ４００）および角度データ生成ステップ（Ｓ４０４）で生成した撮像データおよび角度データを、通信網１３０を介して管理装置１４０に送信する（Ｓ４０６）。
【０１０１】
管理装置１４０のデータ受信部３２０は、監視カメラ１１０が送信した撮像データおよび角度データを受信し（Ｓ４０８）、制限判定部３２２は、受信した角度データが示す角度と、監視カメラ１１０に関連付けて記憶された制限範囲とを比較して、受信した角度データが示す角度が制限範囲に含まれるか否かを判定する（Ｓ４１０）。
【０１０２】
透過率変更部３２４は、制限判定部３２２で、受信した角度データが示す角度が制限範囲に含まれていると判定されたとき、撮像データに重畳されるカメラ情報の透過率である重畳透過率を、制限範囲に含まれていないときよりも高くする（Ｓ４１２）。そして、表示制御部３２６は、透過率変更部３２４が設定した重畳透過率でカメラ情報を撮像データに重畳してモニタ１５０に出力し（Ｓ４１４）、モニタ１５０に表示させる（Ｓ４１６）。
【０１０３】
以上説明したように、本実施形態にかかる監視カメラ管理システム１００および監視カメラ管理方法によれば、カメラ情報を撮像データに重畳するときの透過率を変更するといった簡易な構成で、監視カメラ１１０が撮像、生成した撮像データに含まれる監視対象を妨げることなくカメラ情報を表示させ、監視対象の画像の視認性を向上させることが可能となる。
【０１０４】
（第２の実施形態）
上述した第１の実施形態では、カメラ情報を撮像データに重畳するときの透過率を変更することで、撮像データに含まれる監視対象を妨げることなくカメラ情報を表示させる監視カメラ管理システム１００について説明した。第２の実施形態では、カメラ情報を撮像データに重畳するときの表示面積を変更することで、撮像データに含まれる監視対象の視認性を向上させる監視カメラ管理システムを説明する。
【０１０５】
以下の説明では、本実施形態の特徴的な構成要素である管理装置５００について詳述し、上述した第１の実施形態と機能が実質的に等しい構成要素については、同一の符号を付して説明を省略する。
【０１０６】
（管理装置５００）
図１３は、本実施形態にかかる管理装置５００の概略的な構成を示した機能ブロック図である。図１３に示すように管理装置５００は、管理制御部５１０と、管理記憶部３１２、映像復号部３１４、操作部３１６とを含んで構成される。
【０１０７】
管理制御部５１０は、中央処理装置（ＣＰＵ）や信号処理装置（ＤＳＰ）を含む半導体集積回路により管理装置５００全体を管理および制御する。本実施形態において管理制御部５１０は、データ受信部３２０、制限判定部３２２、表示制御部３２６、範囲設定部３２８、面積変更部５２４としても機能する。
【０１０８】
本実施形態において特徴的な面積変更部５２４は、制限判定部３２２でデータ受信部３２０が受信した角度データが示す角度が制限範囲に含まれていると判定されたとき、撮像データに重畳されるカメラ情報の表示面積である重畳面積を、制限範囲に含まれていないときよりも小さくする。
【０１０９】
面積変更部５２４は、例えば、重畳面積の縦横比を変化させることで重畳面積を小さくする。ここでは、縦横比として横の長さを縦の長さで除算した値（横／縦）を小さくしているが、これに限定されず、監視対象の画像や監視カメラ１１０の回動方向に応じて縦の長さを横の長さで除算した値を小さくしてもよい。
【０１１０】
管理記憶部３１２は、第１の実施形態に記載したように、カメラ情報、制限範囲、推移範囲を記憶しており、上記面積変更部５２４は、推移範囲において、制限範囲における重畳面積と推移範囲より外側における重畳面積との間で重畳面積を段階的にまたは連続的に推移させる。
【０１１１】
図１４は、面積変更部５２４の処理を説明するための説明図である。監視カメラ１１０は、図１４中（ａ）、（ｂ）、（ｃ）、（ｄ）、（ｅ）の順で時計回りに回転している。図１４（ａ）に示すように、受信した角度データが示す角度が推移範囲の外側にある場合、面積変更部５２４は、重畳面積の変更を行わない。したがって、図１４（ａ）に示すモニタ１５０に表示される画像には、監視対象３３０の画像３３２と、重畳面積が変更されていないカメラ情報の画像３３４とが含まれる。
【０１１２】
そして、監視カメラ１１０が回転し、受信した角度データが示す角度が推移範囲の外側から推移範囲内に入ると、図１４（ｂ）に示すように、面積変更部５２４は、受信した角度データが示す角度が制限範囲に入るまで、推移範囲の外側の重畳面積よりも重畳面積を段階的にまたは連続的に小さくする。さらに、監視カメラ１１０が回転し、受信した角度データが示す角度が制限範囲に含まれると、図１４（ｃ）に示すように、表示制御部３２６は、面積変更部５２４によって重畳面積が最小限に小さくなったカメラ情報を撮像データに重畳しモニタ１５０に表示させる。
【０１１３】
そして、受信した角度データが示す角度が制限範囲から外れると、図１４（ｄ）に示すように、面積変更部５２４は、受信した角度データが示す角度が推移範囲から外れるまで、重畳面積を段階的にまたは連続的に大きくする。
【０１１４】
その後、受信した角度データが示す角度が推移範囲から外れると、図１４（ｅ）に示すように、面積変更部５２４は、重畳面積の変更を行わない。したがって、図１４（ｅ）に示すモニタ１５０に表示される画像には、監視対象３３０の画像３３２が最早含まれておらず、重畳面積が変更されていないカメラ情報の画像３３４が含まれることとなる。
【０１１５】
かかる構成により、予め設定された制限範囲に監視カメラ１１０の撮像部２００の向いている角度が含まれると、カメラ情報を積極的に小さく表示させて、カメラ情報が重畳される位置の背景に当たる監視対象の画像の視認性を向上させることが可能となる。したがって、監視者が監視対象の画像において視認不可能となる部分を減少させることができる。
【０１１６】
本実施形態では、カメラ情報の重畳面積の縦横比を変化させて、カメラ情報の表示面積を小さくし、監視対象の画像の視認性を高めているが、カメラ情報の画像を完全に削除しないことで監視者にカメラ情報の存在を視認させることが可能となる。これにより、監視者は、撮像部２００の方向が制限範囲から離れるかまたは監視者の操作により、カメラ情報の画像を参照可能となることを把握することができる。
【０１１７】
本実施形態の面積変更部５２４は、重畳面積の縦横比を変更することで、制限範囲に含まれていないときよりも重畳面積を小さくするが、カメラ情報の一部を切欠することで重畳面積を小さくすることも、カメラ情報をカメラ情報よりも重畳面積の小さい他のカメラ情報に置換することで重畳面積を小さくすることもできる。
【０１１８】
図１５は、面積変更部５２４の他の処理を説明するための説明図である。監視カメラ１１０は、図１５中（ａ）、（ｂ）、（ｃ）、（ｄ）、（ｅ）の順で時計回りに回転している。図１５（ａ）に示すように、受信した角度データが示す角度が推移範囲の外側にある場合、面積変更部５２４は、重畳面積の変更を行わない。したがって、図１５（ａ）に示すモニタ１５０に表示される画像には、監視対象３３０の画像３３２と、重畳面積が変更されていないカメラ情報の画像３３４（ここでは、「会議室Ａ」）とが含まれる。
【０１１９】
そして、監視カメラ１１０が回転し、受信した角度データが示す角度が推移範囲の外側から推移範囲内に入ると、図１５（ｂ）に示すように、面積変更部５２４は、受信した角度データが示す角度が制限範囲に含まれるまで、カメラ情報の一部を切欠して、推移範囲の外側の重畳面積よりも重畳面積を段階的にまたは連続的に小さくする。したがって、図１５（ｂ）に示すモニタ１５０に表示される画像には、監視対象３３０の画像３３２と、一部が切欠されたカメラ情報の画像３３４（ここでは、「会議室」）とが含まれる。
【０１２０】
さらに、監視カメラ１１０が回転し、受信した角度データが示す角度が制限範囲に入ると、図１５（ｃ）に示すように、表示制御部３２６は、面積変更部５２４によってさらに切欠されたカメラ情報を撮像データに重畳してモニタ１５０に表示させる。したがって、図１５（ｃ）に示すモニタ１５０に表示される画像には、監視対象３３０の画像３３２と、大部分が切欠されたカメラ情報の画像３３４（ここでは、「会」）とが含まれる。
【０１２１】
そして、受信した角度データが示す角度が制限範囲から外れると、図１５（ｄ）に示すように、面積変更部５２４は、受信した角度データが示す角度が推移範囲から外れるまで、カメラ情報を切欠する部分を少なくし、重畳面積を段階的にまたは連続的に大きくする。したがって、図１５（ｄ）に示すモニタ１５０に表示される画像には、監視対象３３０の画像３３２と、一部が切欠されたカメラ情報の画像３３４（ここでは、「会議」）とが含まれる。
【０１２２】
その後、受信した角度データが示す角度が推移範囲から外れると、図１５（ｅ）に示すように、面積変更部５２４は、重畳面積の変更を行わない。したがって、図１５（ｅ）に示すモニタ１５０に表示される画像には、監視対象３３０の画像３３２が最早含まれておらず、重畳面積が変更されていないカメラ情報の画像３３４（ここでは、「会議室Ａ」）が含まれる。
【０１２３】
図１５に示すように、重畳面積の縦横比を変化させる場合と同様に、面積変更部５２４は、カメラ情報の一部を切欠して、カメラ情報の表示面積を小さくし、監視対象の画像の視認性を高めているが、カメラ情報の画像３３４を完全に削除しないことで監視者にカメラ情報の存在を視認させることができる。ここでは、撮像データに重畳するカメラ情報を少なくするだけの処理で、カメラ情報の表示面積を容易に小さくすることができる。
【０１２４】
図１６は、面積変更部５２４の他の処理を説明するための説明図である。ここでは、制限範囲のみが設定されており、推移範囲は設定されていない場合における面積変更部５２４の他の処理を説明する。監視カメラ１１０は、図１６中（ａ）、（ｂ）、（ｃ）の順で時計回りに回転している。図１６（ａ）に示すように、受信した角度データが示す角度が制限範囲の外側にある場合、面積変更部５２４は、重畳面積の変更を行わない。したがって、図１６（ａ）に示すモニタ１５０に表示される画像には、監視対象３３０の画像３３２と、重畳面積が変更されていないカメラ情報の画像３３４（ここでは、「会議室Ａ」）とが含まれる。
【０１２５】
そして、監視カメラ１１０が回転し、受信した角度データが示す角度が制限範囲に入ると、図１６（ｂ）に示すように、面積変更部５２４は、カメラ情報をカメラ情報よりも重畳面積の小さい他のカメラ情報に置換する。したがって、図１６（ｂ）に示すモニタ１５０に表示される画像には、監視対象３３０の画像３３２と、重畳面積がカメラ情報より小さい他のカメラ情報の画像３３６（ここでは、会議室を示すアイコン）が含まれる。
【０１２６】
そして、受信した角度データが示す角度が制限範囲から外れると、図１６（ｃ）に示すように、面積変更部５２４は、重畳面積の変更を行わない。したがって、図１６（ｃ）に示すモニタ１５０に表示される画像には、監視対象３３０の画像３３２と、重畳面積が変更されていないカメラ情報の画像３３４（ここでは、「会議室Ａ」）とが含まれる。
【０１２７】
図１６に示すように、カメラ情報をより重畳面積の小さいアイコン等の指標である他のカメラ情報３３６に置換して、監視対象の画像の視認性を高めているが、カメラ情報の画像を完全に削除しないことで監視者にカメラ情報の存在を視認させることができる。また、カメラ情報に加工を施すことなく、予め準備されたカメラ情報をより重畳面積の小さい他のカメラ情報に置換するだけといった簡単な構成で、カメラ情報が重畳される位置の背景に当たる監視対象の画像の視認性を向上させることが可能となる。
【０１２８】
（監視カメラ管理方法）
また、上述した監視カメラ１１０と、回動装置１２０と、管理装置５００と、モニタ１５０とを用いて、監視対象の画像の視認性を向上させる事が可能な監視カメラ管理方法も提供される。
【０１２９】
図１７は、本実施形態にかかる監視カメラ管理方法の具体的な処理を示したシーケンス図である。なお、上述した第１の実施形態と同様の処理を行うＳ４００からＳ４１０については説明を省略する。
【０１３０】
判定ステップ（Ｓ４１０）において、制限判定部３２２が受信した角度データが示す角度が制限範囲に含まれていると判定した場合、面積変更部５２４は、撮像データに重畳されるカメラ情報の表示面積である重畳面積を、制限範囲に含まれていないときよりも小さくする（Ｓ５５０）。そして、表示制御部３２６は、カメラ情報を撮像データに重畳してモニタ１５０に出力し（Ｓ４１４）、モニタ１５０に表示させる（Ｓ４１６）。
【０１３１】
以上説明したように、本実施形態にかかる管理装置５００を含む監視カメラ管理システムおよび監視カメラ管理方法によれば、カメラ情報を撮像データに重畳するときの表示面積を変更するといった簡易な構成で、監視カメラ１１０が撮像、生成した撮像データに含まれる監視対象を妨げることなくカメラ情報を表示させ、監視対象の画像の視認性を向上させることが可能となる。
【０１３２】
（第３の実施形態）
上述した第１および第２の実施形態では、撮像データとカメラ情報の重畳や、カメラ情報の加工を管理装置１４０、５００が行っているが、監視カメラが行うこともできる。本実施形態では、かかる監視カメラ６００について説明する。なお、上述した第１の実施形態と機能が実質的に等しい構成要素については、同一の符号を付して説明を省略する。
【０１３３】
図１８は、本実施形態にかかる監視カメラ６００の概略的な構成を示した機能ブロック図である。図１８に示すように監視カメラ６００は、撮像部２００と、カメラ制御部６２０と、監視記憶部６２２と、を含んで構成される。
【０１３４】
カメラ制御部６２０は、中央処理装置（ＣＰＵ）や信号処理装置（ＤＳＰ）を含む半導体集積回路で構成され、所定のプログラムを用いて監視カメラ６００全体を管理および制御する。
【０１３５】
監視記憶部６２２は、ＲＡＭ、ＥＥＰＲＯＭ、不揮発性ＲＡＭ、フラッシュメモリ、ＨＤＤ等で構成され、上述した撮像情報等を保持する。本実施形態においては、カメラ情報と制限範囲とが監視記憶部６２２に記憶されている。
【０１３６】
また、カメラ制御部６２０は、監視記憶部６２２や他の回路と協働して、角度生成部２３０、映像符号化部２３２、制限判定部６２４、情報重畳部６２６、データ送信部６２８としても機能する。
【０１３７】
制限判定部６２４は、角度生成部２３０が生成した角度データが示す角度と、監視記憶部６２２に記憶された制限範囲と、を比較して、生成された角度データが示す角度が制限範囲に含まれるか否かを判定する。
【０１３８】
情報重畳部６２６は、制限判定部６２４で、角度データが示す角度が制限範囲に含まれていると判定されたとき、カメラ情報を、カメラ情報の透過率である重畳透過率を制限範囲に含まれていないときより高くして、または、カメラ情報の表示面積である重畳面積を制限範囲に含まれていないときより小さくして、監視記憶部６２２に記憶された撮像データに重畳する。
【０１３９】
データ送信部６２８は、情報重畳部６２６がカメラ情報を重畳し、さらに映像符号化部２３２が符号化した撮像データを外部機器である管理装置１４０に送信する。
【０１４０】
上述したように、本実施形態にかかる監視カメラ６００によれば、簡易な構成で、監視カメラ６００が撮像、生成した撮像データに含まれる監視対象を妨げることなくカメラ情報を外部機器に表示させ、監視対象の画像の視認性を向上させることが可能となる。
【０１４１】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１４２】
例えば、上述した実施形態では、監視カメラ１１０と回動装置１２０とが別体として構成される形態および、管理装置１４０とモニタ１５０とが別体として構成される形態を説明したが、監視カメラ１１０が回動機構を備えてもよく、管理装置１４０とモニタ１５０が一体形成されてもよい。
【０１４３】
また、上述した実施形態では、取得した角度データが示す角度が制限範囲に含まれていると判定されたとき、表示制御部３２６は、透過率変更部３２４が重畳透過率を１００％にしたカメラ情報を撮像データに重畳しているが、撮像データにカメラ情報自体を重畳しないといった処理でも上述した実施形態と同様の効果を得ることが可能となる。
【０１４４】
さらに、表示制御部３２６が、透過率変更部３２４が重畳透過率を１００％にしたカメラ情報を撮像データに重畳している場合、即ちカメラ情報がモニタ１５０に表示されていない場合、撮像データの色を変更（例えば、モノクロからカラー）したり、モニタ１５０の表示範囲の外枠に縁取りを付した撮像データを表示させたり、モニタ１５０付近にＬＥＤ等を設け、かかるＬＥＤ等を点灯させたりして、カメラ情報は存在するがモニタ１５０に表示されていないことを報知してもよい。
【０１４５】
なお、本明細書の監視カメラ管理方法における各工程は、必ずしもシーケンス図として記載された順序に沿って時系列に処理する必要はなく、並列的あるいはサブルーチンによる処理を含んでもよい。
【産業上の利用可能性】
【０１４６】
本発明は、監視カメラから撮像データを取得してモニタに表示する監視カメラ管理システム、管理装置、監視カメラおよび監視カメラ管理方法に利用することができる。
【符号の説明】
【０１４７】
１００  …監視カメラ管理システム
１１０、６００  …監視カメラ
１２０  …回動装置
１２２  …固定部
１２４  …回動部
１３０  …通信網
１４０、５００  …管理装置
１５０  …モニタ
２００  …撮像部
２２２、６２２  …監視記憶部
２３０  …角度生成部
２３４、６２８  …データ送信部
３１２  …管理記憶部
３１６  …操作部
３２０  …データ受信部
３２２、６２４  …制限判定部
３２４  …透過率変更部
３２６  …表示制御部
３２８  …範囲設定部
５２４  …面積変更部
６２６  …情報重畳部
【図１】
2010219576.tif 000003
【図２】
2010219576.tif 000004
【図３】
2010219576.tif 000005
【図４】
2010219576.tif 000006
【図５】
2010219576.tif 000007
【図６】
2010219576.tif 000008
【図７】
2010219576.tif 000009
【図８】
2010219576.tif 000010
【図９】
2010219576.tif 000011
【図１０】
2010219576.tif 000012
【図１１】
2010219576.tif 000013
【図１２】
2010219576.tif 000014
【図１３】
2010219576.tif 000015
【図１４】
2010219576.tif 000016
【図１５】
2010219576.tif 000017
【図１６】
2010219576.tif 000018
【図１７】
2010219576.tif 000019
【図１８】
2010219576.tif 000020